(57)【要約】【課題】本発明は、感知機能を備えると共に取り外すことができるペンカバーであって、様々な筆跡を記録することができるペンカバー及び筆跡記録方法を提供することを目的とする。【解決手段】本発明のペンカバーは、ペンのペン本体部に装着して、筆跡を記録することに用いられ、前記ペンカバーは、弾性変形できるカバー本体、前記カバー本体に設置された感圧板、回転儀、加速感知器、処理器及び電池を備え前記感圧板が受ける圧力の大きさによって、現在前記ペン本体部が書いている状態かどうかを判断し、前記回転儀は、カバー本体の平面に対する傾斜角度を測量し、前記加速感知器は、前記ペンカバーの移動を測量し、前記処理器は、平面に対する傾斜角度に基づいて、前記ペンカバーの平面内における移動を取得し、且つ感圧板に与えた圧力の大きさと平面に対する傾斜角度によって筆跡を再現し、前記電池は電源を提供する。【選択図】図１
2015026378.tif 000002
【特許請求の範囲】
【請求項１】
ペンのペン本体部に装着して、筆跡を記録することに用いられるペンカバーにおいて、
前記ペンカバーは、弾性変形できるカバー本体、前記カバー本体に設置された感圧板、回転儀、加速感知器、処理器及び電池を備え、前記感圧板が受けた圧力の大きさによって、前記ペン本体部が現在書いている状態かどうかを判断し、前記回転儀は、前記カバー本体の平面に対する傾斜角度を測量し、前記加速感知器は、前記ペンカバーの移動を測量し、前記処理器は、平面に対する傾斜角度に基づいて、前記ペンカバーの平面内における移動を取得し、且つ前記感圧板が取得した圧力の大きさと平面に対する傾斜角度によって筆跡を再現し、前記電池は電源を提供することを特徴とするペンカバー。
【請求項２】
前記ペンカバーは、定位器を備え、前記定位器は、前記回転儀から前記ペンの先端部の平面と接触する接触点までの感知距離を設定することに用いられ、前記処理器は、感知距離によって、筆跡の実際のサイズを計算することを特徴とする請求項１に記載のペンカバー。
【請求項３】
前記ペンカバーは、無線モジュールを備え、前記処理器は、再現した筆跡を前記無線モジュールを介して、記憶装置及び外部の表示器に送信することを特徴とする請求項１に記載のペンカバー。
【請求項４】
前記ペンカバーは、制御器を備え、前記制御器は、前記平面を設定し、且つ前記感圧板及び回転儀の作動状態を制御することを特徴とする請求項１に記載のペンカバー。
【請求項５】
筆跡記録方法において、
ペンカバーをペンのペン本体部に装着するステップと、
平面を準備するステップと、
回転儀によって、前記ペンカバーが平面に対して傾斜した傾斜角度を判断するステップと、
感圧板が感知した圧力の大きさによって、前記ペンが現在書いている状態かどうかを判断するステップと、
加速感知器によって、前記ペンカバーの移動を測量するステップと、
処理器が、平面に対して傾斜した傾斜角度に基づいて、前記ペンカバーの平面内における移動を取得し、且つ前記感圧板が取得した圧力の大きさと平面内の移動によって、筆跡を再現するステップと、を備えることを特徴とする筆跡記録方法。
【請求項６】
前記筆跡記録方法は、前記回転儀から前記ペンの先端部の平面と接触する接触点までの感知距離を設定するステップと、前記処理器が、感知距離によって、筆跡の実際のサイズを計算するステップと、を備えることを特徴とする請求項５に記載の筆跡記録方法。
【請求項７】
前記筆跡記録方法は、前記処理器が、再現した筆跡を無線モジュールを介して、記憶装置及び外部の表示器に送信するステップを備えることを特徴とする請求項５に記載の筆跡記録方法。
【発明の詳細な説明】
【技術分野】
【０００１】
本発明は、ペンカバー及び筆跡記録方法に関し、特に感知機能を備えると共に取り外すことができるペンカバー及び筆跡記録方法に関するものである。
【背景技術】
【０００２】
現在のタッチパネル等に使用される入力装置は、筆跡を記録する機能を備え、且つ圧力を感知できるペン頭部が設置されている。このペン頭部は、感知板と組み合わさって筆跡を記録する。しかし、筆跡を記録できる範囲は感知区域に限定され、且つペン頭部とペン管とが一体化しているため、ペン頭部を交換できない等、使用の柔軟性に欠ける。
【発明の概要】
【発明が解決しようとする課題】
【０００３】
上記の問題点に鑑みて、本発明は、感知機能を備えると共に取り外すことができるペンカバーであって、様々な筆跡を記録することができるペンカバー及び筆跡記録方法を提供することを目的とする。
【課題を解決するための手段】
【０００４】
上記の課題を解決するために、本発明のペンカバーは、ペンのペン本体部（軸胴部）に装着して、筆跡を記録することに用いられ、前記ペンカバーは、弾性変形できるカバー本体、前記カバー本体に設置された感圧板、回転儀、加速感知器、処理器及び電池を備え、前記感圧板が受ける圧力の大きさによって、現在前記ペン本体部が書いている状態かどうかを判断し、前記回転儀は、カバー本体の平面に対する傾斜角度を測量し、前記加速感知器は、前記ペンカバーの移動を測量し、前記処理器は、平面に対する傾斜角度に基づいて、前記ペンカバーの平面内における移動を取得し、且つ感圧板に与えた圧力に大きさと平面に対する傾斜角度によって筆跡を再現し、前記電池は電源を提供する。
【０００５】
上記の課題を解決するために、本発明の筆跡記録方法は、ペンカバーをペンのペン本体部に装着するステップと、平面を準備するステップと、回転儀によって、前記ペンカバーの平面に対して傾斜した傾斜角度を判断するステップと、感圧板が感知した圧力の大きさによって、前記ペンが現在書いている状態かどうかを判断するステップと、加速感知器によって、前記ペンカバーの移動を測量するステップと、処理器が、平面に対して傾斜した傾斜角度に基づいて、前記ペンカバーの平面内における移動を取得し、且つ前記感圧板が取得した圧力の大きさと平面内の移動によって、筆跡を再現するステップと、を備える。
【発明の効果】
【０００６】
本発明のペンカバー及び筆跡記録方法は、感圧板、回転儀、加速感知器及び処理器によって、ペンカバーの移動を取得して筆跡を記録するため、使用の柔軟性に優れている。
【図面の簡単な説明】
【０００７】
【図１】本発明に係るペンカバーの使用状態図である。
【図２】図１に示したペンカバーの機能モジュール図である。
【図３】図１に示したペンカバーに圧力を与えた際の状態を示す図である。
【図４】図３に示したペンカバーの別の視角から見た使用状態図である。
【図５】本発明に係る筆跡記録方法のフローチャート図である。
【発明を実施するための形態】
【０００８】
以下、図面に基づいて、本発明に係るペンカバー及び筆跡記録方法について詳細に説明する。図１に示したように、ペンカバー２００は、ペン１００のペン本体部（軸胴部）１１０に装着される。ペン本体部１１０の末端には、先端部１２０が設置されている。ペンカバー２００は、ペン本体部１１０に取り外し可能に装着される円環状のカバー本体２１０と、カバー本体２１０に設置された感圧板２２０とを備える。カバー本体２１０は、弾性変形できるため、直径が異なる様々なサイズのペン本体部１１０に装着することができる。感圧板２２０は、複数の異なる方向からの異なる圧力を感受することができる。
【０００９】
図２に示したように、ペンカバー２００は、処理器２３０、制御器２４０、回転儀２６０、加速感知器２７０、無線モジュール２８０、定位器２９０、電池３００及びディスプレイ４００をさらに備える。
【００１０】
制御器２４０は平面上（例えば、水平面、垂直面、或いは一定な角度に傾斜した傾斜面等）に設置される。制御器２４０は、感圧板２２０、回転儀２６０、無線モジュール２８０及び電池３００の作動状態を制御する。定位器２９０は、回転儀２６０から先端部１２０の平面と接触する接触点までの感知距離を設定する。
【００１１】
ディスプレイ４００は、電池３００、無線モジュール２８０及び定位器２９０の作動状態を表示する。ディスプレイ４００は、操作が可能なタッチパネルである。
【００１２】
回転儀２６０は、平面の傾斜角度を感知することができる。回転儀２６０は、三軸回転儀である。
【００１３】
無線モジュール２８０は、近距離無線通信モジュール、Ｗｉ−Ｆｉ（登録商標）或いはブルートゥース（登録商標）モジュールである。
【００１４】
電池３００は、充電電池である。
【００１５】
加速感知器２７０は、直線加速度計であり、加速感知器２７０は慣性によって、ペンカバー２００の移動を測量する。
【００１６】
図３及び図４に示したように、処理器２３０は、感圧板２２０が受ける圧力の大きさによって、ペン１００が現在書いている状態かどうかを判断する。例えば、感圧板２２０は、圧力Ｆ１とＦ２との和の総圧力値Ｆ３が、ある１つの圧力閾値より小さい場合、ペン１００は、書く前の状態（例えば、ユーザがペン１００を握った状態）であることを指す。感圧板２２０の総圧力値Ｆ３が圧力閾値より大きい場合、ペン１００は、書いている際に発生する抵抗力を受けており、現在書いている状態であることを指す。処理器２３０は、回転儀２６０が測量したペン１００の平面に対する角度に基づいて、加速感知器２７０の平面内における移動を測量する。処理器２３０は、平面内の移動及び感圧板２２０の総圧力値によって、ペン１００が書いた際の筆跡を再現する。処理器２３０は、感知距離によって、筆跡の実際のサイズを計算する。
【００１７】
ペンカバー２００は、計算した筆跡を無線モジュール２８０によって、記憶装置５００に送信して保存し、該筆跡は外部の表示器６００に表示される。
【００１８】
図５に示したように、筆跡記録方法は、以下のステップ（Ｓ２０１〜Ｓ２１５）を備える。ステップＳ２０１において、ペンカバー２００をペン１００のペン本体部１１０に装着する。ステップＳ２０３において、ペンが書くことができる平面を準備する。ステップＳ２０５において、処理器２３０は、感知距離によって筆跡の実際サイズを計算する。ステップＳ２０７において、回転儀２６０は、ペンカバー２００の平面に対して傾斜した傾斜角度を判断する。ステップＳ２０９において、感圧板２２０が感知した圧力の大きさによって、ペン２００が書いている状態かどうかを判断する。ステップＳ２１１において、加速感知器２７０によって、ペンカバー２００の移動を測量する。ステップＳ２１３において、処理器２３０は、平面に対して傾斜した傾斜角度によって、ペンカバー２００の平面内における移動を取得し、且つ感圧板２２０が取得した圧力の大きさと平面内の移動によって、筆跡を再現する。ステップＳ２１５において、処理器２３０は、再現した筆跡を無線モジュール２８０を介して、記憶装置５００及び外部の表示器６００に送信する。
【符号の説明】
【００１９】
１００  ペン
１１０  ペン本体部
１２０  先端部
２００  ペンカバー
２１０  カバー本体
２２０  感圧板
２３０  処理器
２４０  制御器
２６０  回転儀
２７０  加速感知器
２８０  無線モジュール
２９０  定位器
３００  電池
４００  ディスプレイ
５００  記憶装置
６００  外部の表示器
【図１】
2015026378.tif 000003
【図２】
2015026378.tif 000004
【図３】
2015026378.tif 000005
【図４】
2015026378.tif 000006
【図５】
2015026378.tif 000007